【手続補正書】
【提出日】平成16年3月15日(2004.3.15)
【手続補正１】
【補正対象書類名】明細書
【補正対象項目名】特許請求の範囲
【補正方法】変更
【補正の内容】
【特許請求の範囲】
【請求項１】
携帯電話等の情報端末機の本体に設けた少なくとも４個の電極と、この電極のうち少なくとも２つの電極に定電流を流す定電流発生手段と、前記電極のうち少なくとも２つの電極の電圧を検出する電圧検出手段と、前記情報端末機に設けられた数値入力手段と、前記情報端末機に設けられた表示手段と、前記情報端末機としての機能と体脂肪計の機能とを切替える切替手段と、この切替手段により体脂肪計の機能に切替えられたときに前記数値入力手段からの身長や体重等のデータおよび前記電圧検出手段からの検出データにより体脂肪率を演算し前記表示手段に演算結果を表示する制御手段とからなる体脂肪計。
【請求項２】
情報端末機の本体に設けた電極と、この電極に定電流を流す定電流発生手段と、前記電極の電圧を検出する電圧検出手段と、前記情報端末機に設けられた数値入力手段と、前記情報端末機に設けられた表示手段と、前記情報端末機としての機能と体脂肪計の機能とを切替える切替手段と、この切替手段により体脂肪計の機能に切替えられたときに前記数値入力手段からの身長や体重等のデータおよび前記電圧検出手段からの検出データにより体脂肪率を演算し前記表示手段に演算結果を表示する制御手段とからなる体脂肪計。
【請求項３】
前記電極は両手の各２本の指を接触させるために４個設けたことを特徴とする請求項１または請求項２記載の体脂肪計。
【請求項４】
前記電極として両足に接触させるために更に４個設けたことを特徴とする請求項３記載の体脂肪計。
【請求項５】
前記の情報端末機は電話番号等のデータを記憶する記憶手段を備え、前記制御手段により演算された体脂肪率のデータを記憶することを特徴とする請求項１または請求項２記載の体脂肪計。
【請求項６】
前記情報端末機のアラーム機能を用い、アラーム機能に設定された時刻に体脂肪率を測定演算できるようにしたことを特徴とする請求項１または請求項２記載の体脂肪計。
【請求項７】
数値入力手段、表示手段、送信受信機能手段、記憶手段等を備えた携帯電話等の情報端末機に、少なくとも４つの電極と、この電極のうち少なくとも２つの電極に定電流を流す定電流発生手段と、前記電極のうち少なくとも２つの電極の電圧を検出する電圧検出手段と、前記情報端末機としての機能と体脂肪計の機能とを切替える切替手段と、この切替手段により体脂肪計の機能に切替えられたときに前記数値入力手段からの身長や体重等のデータおよび前記電圧検出手段からの検出データにより体脂肪率を演算し前記表示手段に演算結果を表示する制御手段とを備えるとともに、前記情報端末機からのデータに基づいて分析処理し、前記情報端末機に前記処理結果のデータを送信する集計センターを備え、前記情報端末機と前記集計センターとでデータ交信をする健康管理システム。
【請求項８】
数値入力手段、表示手段、送信受信機能手段、記憶手段等を備えた携帯電話等の情報端末機に、複数の電極と、この電極に定電流を流す定電流発生手段と、前記電極の電圧を検出する電圧検出手段と、前記情報端末機としての機能と体脂肪計の機能とを切替える切替手段と、この切替手段により体脂肪計の機能に切替えられたときに前記数値入力手段からの身長や体重等のデータおよび前記電圧検出手段からの検出データにより体脂肪率を演算し前記表示手段に演算結果を表示する制御手段とを備えるとともに、前記情報端末機からのデータに基づいて分析処理し、前記情報端末機に前記処理結果のデータを送信する集計センターを備え、前記情報端末機と前記集計センターとでデータ交信をする健康管理システム。
【請求項９】
前記情報端末機の送信データが、前記制御手段により演算された体脂肪率データであることを特徴とする請求項７または請求項８記載の健康管理システム。
【請求項１０】
前記情報端末機の送信データが、前記記憶手段に記憶された体脂肪率データであることを特徴とする請求項７または請求項８記載の健康管理システム。
【請求項１１】
前記情報端末機の受信機能を利用し、前記集計センターから送信された各種データを前記表示手段に表示することを特徴とする請求項７または請求項８記載の健康管理システム。
【請求項１２】
前記情報端末機の受信機能を利用し、前記集計センターから送信された各種データを前記記憶手段に記憶することを特徴とする請求項７または請求項８記載の健康管理システム。
【請求項１３】
前記集計センターからの送信データが、体脂肪率の適正範囲状況データであることを特徴とする請求項７または請求項８記載の健康管理システム。
【請求項１４】
前記集計センターからの送信データが、脂肪の減量データであることを特徴とする請求項７または請求項８記載の健康管理システム。
【請求項１５】
前記集計センターからの送信データが、運動量データであることを特徴とする請求項７または請求項８記載の健康管理システム。
【請求項１６】
前記集計センターからの送信データが、食事削減データであることを特徴とする請求項７または請求項８記載の健康管理システム。
【手続補正２】
【補正対象書類名】明細書
【補正対象項目名】０００６
【補正方法】変更
【補正の内容】
【０００６】
【課題を解決するための手段】
本発明は、携帯電話等の情報端末機の本体に設けた少なくとも４個の電極と、この電極のうち少なくとも２つの電極に定電流を流す定電流発生手段と、前記電極のうち少なくとも２つの電極の電圧を検出する電圧検出手段と、前記情報端末機に設けられた数値入力手段と、前記情報端末機に設けられた表示手段と、前記情報端末機としての機能と体脂肪計の機能とを切替える切替手段と、この切替手段により体脂肪計の機能に切替えられたときに前記数値入力手段からの身長や体重等のデータおよび前記電圧検出手段からの検出データにより体脂肪率を演算し前記表示手段に演算結果を表示する制御手段を備えたことを特徴とする。
また、情報端末機の本体に設けた電極と、この電極に定電流を流す定電流発生手段と、前記電極の電圧を検出する電圧検出手段と、前記情報端末機に設けられた数値入力手段と、前記情報端末機に設けられた表示手段と、前記情報端末機としての機能と体脂肪計の機能とを切替える切替手段と、この切替手段により体脂肪計の機能に切替えられたときに前記数値入力手段からの身長や体重等のデータおよび前記電圧検出手段からの検出データにより体脂肪率を演算し前記表示手段に演算結果を表示する制御手段とからなることを特徴とする。
【手続補正３】
【補正対象書類名】明細書
【補正対象項目名】０００７
【補正方法】変更
【補正の内容】
【０００７】
さらに、本発明は、数値入力手段、表示手段、送信受信機能手段、記憶手段等を備えた携帯電話等の情報端末機に、少なくとも４つの電極と、この電極のうち少なくとも２つの電極に定電流を流す定電流発生手段と、前記電極のうち少なくとも２つの電極の電圧を検出する電圧検出手段と、前記情報端末機としての機能と体脂肪計の機能とを切替える切替手段と、この切替手段により体脂肪計の機能に切替えられたときに前記数値入力手段からの身長や体重等のデータおよび前記電圧検出手段からの検出データにより体脂肪率を演算し前記表示手段に演算結果を表示する制御手段とを備えるとともに、前記情報端末機からのデータに基づいて分析処理し、前記情報端末機に前記処理結果のデータを送信する集計センターを備え、前記情報端末機と前記集計センターとでデータ交信をすることを特徴とする。
さらに、数値入力手段、表示手段、送信受信機能手段、記憶手段等を備えた携帯電話等の情報端末機に、複数の電極と、この電極に定電流を流す定電流発生手段と、前記電極の電圧を検出する電圧検出手段と、前記情報端末機としての機能と体脂肪計の機能とを切替える切替手段と、この切替手段により体脂肪計の機能に切替えられたときに前記数値入力手段からの身長や体重等のデータおよび前記電圧検出手段からの検出データにより体脂肪率を演算し前記表示手段に演算結果を表示する制御手段とを備えるとともに、前記情報端末機からのデータに基づいて分析処理し、前記情報端末機に前記処理結果のデータを送信する集計センターを備え、前記情報端末機と前記集計センターとでデータ交信をすることを特徴とする。
【手続補正４】
【補正対象書類名】明細書
【補正対象項目名】０００８
【補正方法】変更
【補正の内容】
【０００８】
【発明の実施の形態】
本発明は、携帯電話等の情報端末機の本体に設けた少なくとも４個の電極と、この電極のうち少なくとも２つの電極に定電流を流す定電流発生手段と、前記電極のうち少なくとも２つの電極の電圧を検出する電圧検出手段と、前記情報端末機に設けられた数値入力手段と、前記情報端末機に設けられた表示手段と、情報端末機としての機能と体脂肪計の機能とを切替える切替手段と、この切替手段により体脂肪計の機能に切替えられたときに数値入力手段からの身長や体重等のデータおよび前記電圧検出手段からの検出データにより体脂肪率を演算し前記表示手段に演算結果を表示する制御手段を備える。
また、本発明は、情報端末機の本体に設けた電極と、この電極に定電流を流す定電流発生手段と、前記電極の電圧を検出する電圧検出手段と、前記情報端末機に設けられた数値入力手段と、前記情報端末機に設けられた表示手段と、前記情報端末機としての機能と体脂肪計の機能とを切替える切替手段と、この切替手段により体脂肪計の機能に切替えられたときに前記数値入力手段からの身長や体重等のデータおよび前記電圧検出手段からの検出データにより体脂肪率を演算し前記表示手段に演算結果を表示する制御手段とを備える。
【手続補正５】
【補正対象書類名】明細書
【補正対象項目名】００１３
【補正方法】変更
【補正の内容】
【００１３】
さらに、本発明は、数値入力手段、表示手段、送信受信機能手段、記憶手段等を備えた携帯電話等の情報端末機に、少なくとも４つの電極と、この電極のうち少なくとも２つの電極に定電流を流す定電流発生手段と、前記電極のうち少なくとも２つの電極の電圧を検出する電圧検出手段と、前記情報端末機としての機能と体脂肪計の機能とを切替える切替手段と、この切替手段により体脂肪計の機能に切替えられたときに前記数値入力手段からの身長や体重等のデータおよび前記電圧検出手段からの検出データにより体脂肪率を演算し前記表示手段に演算結果を表示する制御手段とを備えるとともに、前記情報端末機からのデータに基づいて分析処理し、前記情報端末機に前記処理結果のデータを送信する集計センターを備え、前記情報端末機と前記集計センターとでデータ交信をする。
さらに、本発明は、数値入力手段、表示手段、送信受信機能手段、記憶手段等を備えた携帯電話等の情報端末機に、複数の電極と、この電極に定電流を流す定電流発生手段と、前記電極の電圧を検出する電圧検出手段と、前記情報端末機としての機能と体脂肪計の機能とを切替える切替手段と、この切替手段により体脂肪計の機能に切替えられたときに前記数値入力手段からの身長や体重等のデータおよび前記電圧検出手段からの検出データにより体脂肪率を演算し前記表示手段に演算結果を表示する制御手段とを備えるとともに、前記情報端末機からのデータに基づいて分析処理し、前記情報端末機に前記処理結果のデータを送信する集計センターを備え、前記情報端末機と前記集計センターとでデータ交信をする。